(57)【要約】  本開示は、反応セル上の標的位置を特定し、標的位置を使用してアッセイを実施するための方法及び装置を目的とする。例示的な実施形態において、少なくとも１つのアッセイを実施する方法は、反応セル上に位置する流体サンプルの少なくとも１つの画像を取得するステップと、少なくとも１つの画像に基づいて複数の微分データ点を含む一連の微分データを作成するステップとを含む。本方法はさらに、複数の微分データ点のそれぞれについて画像勾配データ点を決定するステップと、画像勾配データ点に基づいて反応セル内の流体サンプルの標的位置を決定するステップとを含む。本方法は更に、反応セル内の流体サンプルの標的位置を使用して、少なくとも１つのアッセイを実施するステップを含む。【選択図】図９Ａ
2021529962.tif 000002
【特許請求の範囲】
【請求項１】
制御ユニットにおいて、反応セル上に位置する流体サンプルの少なくとも１つの画像を得るステップ、
前記制御ユニットを介して、前記少なくとも１つの画像に基づいて複数の微分データ点を含む微分データのセットを作成するステップ、
前記制御ユニットを介して、それぞれの前記複数の微分データ点のための画像勾配データ点を決定するステップ、
前記制御ユニットを介して、前記画像勾配データ点に基づいて、前記反応セル内の前記流体サンプルの標的位置を決定するステップ、及び、
前記制御ユニット及び関連するアッセイシステムを介して、前記反応セル内の前記流体サンプルの前記標的位置を使用して少なくとも１つのアッセイを実施するステップ、
を含む、少なくとも１つのアッセイを実施する方法。
【請求項２】
前記反応セルは、固体媒体、乾燥スライド、又は反応キュベットを含む、
ことを特徴とする請求項１に記載の方法。
【請求項３】
前記標的位置は、前記反応セル内の前記流体サンプルの均一領域のほぼ中心を含む、
ことを特徴とする請求項１又は２に記載の方法。
【請求項４】
複数の画像からの標的位置を使用して、複数のアッセイを実施するステップを含む、
ことを特徴とする請求項１、２又は３に記載の方法。
【請求項５】
前記微分データ点は、前記少なくとも１つの画像における色に基づく一次微分である、
ことを特徴とする請求項１、２、３又は４に記載の方法。
【請求項６】
前記流体サンプルの前記標的位置を決定するステップは、
（i）第２の画像勾配データ点よりも低い画像勾配を有する第１の画像勾配データ点を使用すること、又は、
（ii）第１の画像勾配データ点よりも高い画像勾配を有する第２の画像勾配データ点を除外すること、
の少なくとも１つを含む、
ことを特徴とする請求項１、２、３、４又は５に記載の方法。
【請求項７】
前記制御ユニットを介して、前記少なくとも１つの画像から画像の欠陥を除去するステップ、を含む、
ことを特徴とする請求項１又は６に記載の方法。
【請求項８】
前記少なくとも１つの画像は２次元画像である、
ことを特徴とする請求項１又は７に記載の方法。
【請求項９】
前記制御ユニットを介して、前記標的位置周辺の読み取り領域を形成するステップを含み、少なくとも１つのアッセイを実施するステップは、前記読み取り領域を使用することを含む、
ことを特徴とする請求項１又は８に記載の方法。
【請求項１０】
前記流体サンプルの前記標的位置を決定するステップは、前記流体サンプルと結合する少なくとも１つの試薬から形成された、前記反応セル内の指示薬分子の指示薬反応を検出すること又は測定することを含む、
ことを特徴とする請求項１に記載の方法。
【請求項１１】
制御ユニットを介して、反応セル上に位置する流体サンプルの少なくとも１つの画像を得るステップ、
前記制御ユニットを介して、前記少なくとも１つの画像に基づいて、複数の微分データ点を含む微分データのセットを作成するステップ、
前記制御ユニットを介して、前記複数の微分データ点に基づき、前記流体サンプルの標的位置を決定するステップ、
前記制御ユニットを介して、前記標的位置の周辺の読み取り領域を形成するステップ、及び、
前記制御ユニット及び関連するアッセイシステムを介して、前記読み取り領域を使用して、少なくとも１つのアッセイを実施するステップ、
を含む、
少なくとも１つのアッセイを実施する方法。
【請求項１２】
前記反応セルは、固体媒体、乾燥スライド、又は反応キュベットを含む、
ことを特徴とする請求項１１に記載の方法。
【請求項１３】
前記読み取り領域は、少なくとも１つの画像内で、ほぼ円形を示す、
ことを特徴とする請求項１１又は１２に記載の方法。
【請求項１４】
前記読み取り領域は、前記少なくとも１つの画像で、ほぼ楕円形に表示される、
ことを特徴とする請求項１１、１２又は１３に記載の方法。
【請求項１５】
前記制御ユニットを介して、それぞれの前記複数の微分データ点のための画像勾配データ点を決定するステップ、及び、前記画像勾配データ点に基づいて前記流体サンプルの前記標的位置を決定するステップ、を含む、
ことを特徴とする請求項１１、１２、１３又は１４に記載の方法。
【請求項１６】
前記制御ユニット及び前記関連するアッセイシステムを介して、複数のイメージに由来する標的位置を使用して、複数のアッセイを実施することを含む、
ことを特徴とする請求項１１又は１５に記載の方法。
【請求項１７】
前記少なくとも１つの画像は、２次元画像である、
ことを特徴とする請求項１１又は１６に記載の方法。
【請求項１８】
流体サンプルが位置された少なくとも１つの反応セルを受容するように構成されたスライド受容位置、
前記反応セル内に位置する前記流体サンプルの少なくとも１つの画像を得るために、前記スライド受容位置に対して置かれ及び配置される画像装置、及び、
（i）前記少なくとも１つの画像からの微分データ点を分析することで、前記反応セル内に位置する前記流体サンプル内の標的位置を決定する、及び（ii）前記標的位置に基づいて少なくとも１つのアッセイを実施するように構成された制御ユニット、
を備える、少なくとも１つのアッセイを実施するための装置。
【請求項１９】
前記反応セルは、固体媒体、乾燥スライド、又は反応キュベットを含む、
ことを特徴とする請求項１８に記載の装置。
【請求項２０】
前記固体媒体は、第２の反応セルを含む、
ことを特徴とする請求項１９に記載の装置。
【請求項２１】
前記標的位置は、前記流体サンプルの均一領域のほぼ中心位置を含む、
ことを特徴とする請求項１８又は２０に記載の装置。
【請求項２２】
前記制御ユニットは、それぞれの複数の前記微分データ点のための画像勾配データ点を分析することで、前記標的位置を決定するように構成される、
ことを特徴とする請求項１８、１９、２０、又は２１に記載の装置。
【請求項２３】
（i）第２の画像勾配データ点よりも低い画像勾配を有する第１の画像勾配データ点を使用する、又は、（ii）第１の画像勾配データ点よりも高い画像勾配を有する第２の画像勾配データ点を除外する、の少なくとも１つによって、前記標的位置を決定するように、前記制御ユニットは構成される、
ことを特徴とする請求項２２に記載の装置。
【請求項２４】
制御ユニットは、第２の画像勾配データ点よりも低い画像勾配を有する第１の画像勾配データ点のほぼ幾何学的中心で前記標的位置を決定するように、構成される、
ことを特徴とする請求項２２に記載の装置。
【請求項２５】
前記制御ユニットは、複数の画像からの標的位置を使用して、複数の異なるアッセイを実施するように構成されている、
ことを特徴とする請求項１８又は２５に記載の装置。
【請求項２６】
前記反応セル内の前記流体サンプルの前記標的位置は、前記反応セル内で前記流体サンプル中の標的分子が試薬と反応するにつれて指示薬が表示のために発現するように指示薬反応が起こる位置に対応する、
ことを特徴とする請求項１８又は２５に記載の装置。
【発明の詳細な説明】
【技術分野】
【０００１】
本発明は、標的位置を使用してアッセイを実施可能とするために、乾燥スライド又は他の多孔性／固体媒体のような反応セル上の標的位置の位置決めをする方法および装置に、一般に関連し、より具体的には、固体媒体上における、標的位置として流体サンプルの読み取り中心を位置決めする方法及び装置に関する。
【背景技術】
【０００２】
アッセイを実施する１つの方法は、固体又は多孔質媒体上に注がれた流体サンプルの画像を使用することである。しかしながら、この方法の問題は、軸対象の勾配が、流体サンプルが注がれた位置の中心から放射状に広がり、画像プロファイルが平坦とならないことがある点である。この問題は、例えば、計量、媒体の位置又は変化のある媒体における不正確性により、意図しない位置でサンプルを注ぐことによって起きる可能性がある。アッセイを実施するための領域が予め定められた位置である場合、実施される圧政の正確性を減じる大きな変動がある可能性がある。別の問題は、光学的欠陥（例えば、埃、コーティングの欠陥等）又は、アッセイの信号を劣化させる可能性がある意図しない流れのパターンによる反応画像に欠陥がある可能性があることである。
【発明の概要】
【課題を解決するための手段】
【０００３】
本開示は、例えば、アッセイ信号の標的位置を中心とした所定の領域における平均光学強度を得ることによって、ドライスライド又は他の固体媒体のような反応セル中の標的位置を決める、及び標的位置を使用してアッセイを実施するための方法及び装置を目的とする。本明細書に開示の任意の他の実施形態と共に使用することができる例示的な実施形態において、少なくとも１つのアッセイを実施する方法は、反応セル上に位置する流体サンプルの少なくとも１つの画像を得るステップと、少なくとも１つの画像に基づいて複数微分データ点を含む微分データのセットを生成するステップと、それぞれの複数の微分データ点のための画像勾配データ点を決定するステップと、画像勾配データ点に基づいて反応セル内の流体サンプルの標的位置を決定するステップと、反応セル内の流体サンプルの標的位置を使用して少なくとも１つのアッセイを実施するステップと、を含む。
【０００４】
本明細書に開示の任意の他の実施形態と共に使用することができる別の実施形態において、反応セルは、固体媒体、乾燥スライド、又は反応キュベットを含む。
【０００５】
本明細書に開示の任意の他の実施形態と共に使用することができる別の実施形態において、標的位置は、前記反応セル内の前記流体サンプルの均一領域のほぼ中心である。
【０００６】
本明細書に開示の任意の他の実施形態と共に使用することができる別の実施形態において、本方法は、複数の画像からの標的位置を使用して、複数のアッセイを実施することを含む。
【０００７】
本明細書に開示の任意の他の実施形態と共に使用することができる別の実施形態において、微分データ点は、少なくとも１つの画像における色に基づく一次微分である。実施形態において、少なくとも１つの画像における色は、光強度を表す。
【０００８】
本明細書に開示の任意の他の実施形態と共に使用することができる別の実施形態において、流体サンプルの前記標的位置を決定するステップは、（i）第２の画像勾配点よりも低い画像勾配を有する第１の画像勾配データ点を使用すること、又は、（ii）第１の画像勾配データ点よりも高い画像勾配を有する第２の画像勾配データ点を除外すること、の少なくとも１つを含む。実施形態において、これは、一次微分値が画像全体にわたって取られ、次に、閾値よりも高い一次微分値を有する全ての画素が除去され、その結果、残りの画素の中心が標的位置を見つけるために使用することができることを意味する。
【０００９】
本明細書に開示の任意の他の実施形態と共に使用することができる別の実施形態において、本方法は、少なくとも１つの画像から画像の欠陥を除去するステップを含む。
【００１０】
本明細書に開示の任意の他の実施形態と共に使用することができる別の実施形態において、少なくとも１つの画像は２次元画像である。
【００１１】
本明細書に開示の任意の他の実施形態と共に使用することができる別の実施形態において、流体サンプルの標的位置を決定するステップは、流体サンプルと結合する少なくとも１つの試薬から形成された、反応セル内の指示薬分子の指示薬反応を検出すること又は測定することを含む。
【００１２】
本明細書に開示の任意の他の実施形態と共に使用することができる別の実施形態において、本方法は、標的位置周辺の読み取り領域を形成するステップを含み、少なくとも１つのアッセイを実施するステップは、読み取り領域を使用することを含む。
【００１３】
本明細書に開示の任意の他の実施形態と共に使用することができる一般的な実施形態において、少なくとも１つのアッセイを実施する方法は、反応セル上に位置する流体サンプルの少なくとも１つの画像を得るステップと、少なくとも１つの画像に基づいて複数の微分データ点を含む微分データセットを作成するステップと、複数の微分データ点に基づいて流体サンプルの標的位置を決定するステップと、標的位置の周囲に読み取り領域を形成するステップと、読み取り領域を用いて少なくとも１つのアッセイを実施するステップとを含む。
【００１４】
本明細書に開示の任意の他の実施形態と共に使用することができる別の実施形態において、反応セルは、固体媒体、乾燥スライド、又は反応キュベットを含む。
【００１５】
本明細書に開示の任意の他の実施形態と共に使用することができる別の実施形態において、読み取り領域は、少なくとも１つの画像で、ほぼ円形を示す。
【００１６】
本明細書に開示の任意の他の実施形態と共に使用することができる別の実施形態において、読み取り領域は、少なくとも１つの画像で、ほぼ楕円形を示す。
【００１７】
本明細書に開示の任意の他の実施形態と共に使用することができる別の実施形態において、本方法は、それぞれの複数の微分データ点のための画像勾配データ点を決定するステップ、及び、画像勾配データ点に基づいて流体サンプルの標的位置を決定するステップ、を含む。
【００１８】
本明細書に開示の任意の他の実施形態と共に使用することができる別の実施形態において、本方法は、複数のイメージに由来する標的位置を使用して、複数のアッセイを実施することを含む。
【００１９】
本明細書に開示の任意の他の実施形態と共に使用することができる別の実施形態において、少なくとも１つの画像は、２次元画像である。
【００２０】
本明細書に開示の任意の他の実施形態と共に使用することができる一般的な実施形態において、少なくとも１つのアッセイを実施するための装置は、流体サンプルが位置された少なくとも１つの反応セルを受容するように構成されたスライド受容位置と、反応セル内に位置する流体サンプルの少なくとも１つの画像を得るために、スライド受容位置に対して位置され及び配置される画像装置と、（i）前記少なくとも１つの画像からの微分データ点を分析することで、前記反応セル内に位置する前記流体サンプル内の標的位置を決定する、及び（ii）標的位置に基づいて少なくとも１つのアッセイを実施するように構成された制御ユニットと備える。
【００２１】
本明細書に開示の任意の他の実施形態と共に使用することができる別の実施形態において、反応セルは、固体媒体、乾燥スライド、又は反応キュベットを含む。
【００２２】
本明細書に開示の任意の他の実施形態と共に使用することができる別の実施形態において、固体媒体は、第２の反応セルを含む。
【００２３】
本明細書に開示の任意の他の実施形態と共に使用することができる別の実施形態において、標的位置は、反応セル内の前記流体サンプルの均一領域のほぼ中心位置である。
【００２４】
本明細書に開示の任意の他の実施形態と共に使用することができる別の実施形態において、制御ユニットは、それぞれの複数の微分データ点のための画像勾配データ点を分析することで、標的位置を決定するように構成される。
【００２５】
本明細書に開示の任意の他の実施形態と共に使用することができる別の実施形態において、制御ユニットは、（i）第２の画像勾配データ点よりも低い画像勾配を有する第１の画像勾配データ点を使用する、又は、（ii）第１の画像勾配データ点よりも高い画像勾配を有する第２の画像勾配データ点を除外する、の少なくとも１つによって、前記標的位置を決定するように、構成されている。実施形態において、これは、１次微分値が画像全体にわたって取られ、次に、閾値よりも高い１次微分値を有する全ての画素が除去され、その結果、残りの画素の中心が標的位置を見つけるために使用されてもよいことを意味する。
【００２６】
本明細書に開示の任意の他の実施形態と共に使用することができる別の実施形態において、制御ユニットは、第２の画像勾配データ点よりも低い画像勾配を有する第１の画像勾配データ点のほぼ幾何学的中心で標的位置を決定するように、構成される。
【００２７】
本明細書に開示の任意の他の実施形態と共に使用することができる別の実施形態において、制御ユニットは、複数の画像からの標的位置を使用して、複数の異なるアッセイを実施するように構成されている。
【００２８】
本明細書に開示の任意の他の実施形態と共に使用することができる別の実施形態において、反応セル内の流体サンプルの標的位置は、反応セル内で流体サンプル中の標的分子が試薬と反応するにつれて指示薬が表示のため発現するように指示薬反応が起こる位置に対応する。
【００２９】
本明細書に開示される任意の他の実施形態と共に使用することができる別の実施形態において、図１〜３７と関連して開示される任意の構造及び機能と、図１〜３７と関連して開示される任意の他の構造及び機能と組み合わせることができる。
【００３０】
従って、本開示及び上記の態様に照らし、乾燥スライド、反応キュベット又は他の固体媒体の反応セルにおける標的位置を決めるための改善された方法および装置を提供することは、本開示の利点である。
【００３１】
本明細書で議論される利点は、１つ又はいくつか、及びおそらく全てではない本明細書で開示されている実施形態で見出すことができる。付加的な特徴及び利点は、本明細書で説明されており、以下の詳細な説明と図面とから明らかになるであろう。
【図面の簡単な説明】
【００３２】
ここで、本開示の実施形態は、添付の図面を参照するだけで、例として更に詳細に説明される。
【００３３】
【図１】本開示に係る固体媒体の例示的な実施形態の断面図を示す。
【図２】図１の固体媒体の分解斜視図示す。
【図３】本開示に係る図１の固体媒体を保持するアッセイ装置の例示的な実施形態の図を示す。
【図４】本開示に係る固体媒体上に流体サンプルを吐出するサンプル吐出機構の例示的な実施形態の図を示す。
【図５】図４に示す吐出による固体媒体上の流体サンプルによって形成される液体レンズの例示的な実施形態の図を示す。
【図６】図５に説明する分配の例示的な実施形態を示す上面斜視図及び底面図の例示的な実施形態の図を示す。
【図７Ａ】固体媒体上に流体サンプルによって形成され得る例示的パターンの図を示す。
【図７Ｂ】固体媒体上に流体サンプルによって形成され得る例示的パターンの図を示す。
【図７Ｃ】固体媒体上に流体サンプルによって形成され得る例示的パターンの図を示す。
【図８】本開示に係る少なくとも１つのアッセイを実施する方法の例示的な実施形態図を示す。
【図９Ａ】本開示に係る固体媒体上の流体サンプルの画像における標的位置を決定する方法の例示的な実施形態の図を示す。
【図９Ｂ−１】本開示に係る固体媒体上の流体サンプルの画像における標的位置を決定する方法の例示的な実施形態の図を示す。
【図９Ｂ−２】本開示に係る固体媒体上の流体サンプルの画像における標的位置を決定する方法の例示的な実施形態の図を示す。
【図１０】固定媒体上の流体サンプルによって形成され得る異なる例示的なパターンの図を示す。
【図１１】固体媒体上の流体サンプルによって形成され得る元の画像及び一次空間微分を示す。
【図１２】固体媒体上の流体サンプルの画像内に形成され得る異なる不完全性の図を示す。
【図１３】固体媒体上の埃の斑点が、対応する画像でどのようにスパイクを引き起こし得るかを説明する図を示す。
【図１４】本開示に係る方法がアッセイの精度を改善する方法を示す図である。
【図１５】本開示に係る方法がアッセイの精度を改善する方法を示す図である。
【図１６】本開示の例示的な実施形態に係る図１〜５の固体媒体の実施形態の図を示す。
【図１７】本開示の例示的な実施形態に係るそれぞれのスライドの滞留領域サンプルを含む図３のアッセイシステムによって記録される画像の図を示す。
【図１８】本開示の例示的な実施形態に係る、埃又は別の汚染がサンプル中に含まれる、アッセイシステムによって記録される画像を説明する。
【図１９】図１８の画像に基づくアッセイシステムによって実施されるサンプルの分析を示す図である。
【図２０】本開示の例示的な実施形態に係る、埃又は別の汚染がサンプル中に含まれる、アッセイシステムによって記録される画像を説明する。
【図２１】図２０の画像に基づくアッセイシステムによって実施されるサンプルの分析を示す図である。
【図２２】本開示の例示的な実施形態に係る、図１〜２１の固体媒体の分析性能を、既知の固体媒体と比較するテスト結果データの図を示す。
【図２３】本開示の例示的な実施形態に係る、図１〜２１の固体媒体の分析性能を、既知の固体媒体と比較するテスト結果データの図を示す。
【図２４】本開示の例示的な実施形態に係る、図１〜２１の固体媒体の分析性能を、既知の固体媒体と比較するテスト結果データの図を示す。
【図２５】本開示の例示的な実施形態に係る、図１〜２１の固体媒体の分析性能を、既知の固体媒体と比較するテスト結果データの図を示す。
【図２６】本開示の例示的な実施形態に係る、図１〜２１の固体媒体の分析性能を、既知の固体媒体と比較するテスト結果データの図を示す。
【図２７】本開示の例示的な実施形態に係る、図１〜２１の固体媒体の分析性能を、既知の固体媒体と比較するテスト結果データの図を示す。
【図２８】本開示の例示的な実施形態に係る、図１〜２１の固体媒体の分析性能を、既知の固体媒体と比較するテスト結果データの図を示す。
【図２９】本開示の例示的な実施形態に係る、図１〜２１の固体媒体の分析性能を、既知の固体媒体と比較するテスト結果データの図を示す。
【図３０】本開示の例示的な実施形態に係る、図１〜２１の固体媒体の分析性能を、既知の固体媒体と比較するテスト結果データの図を示す。
【図３１】本開示の例示的な実施形態に係る、図１〜２１の固体媒体の分析性能を、既知の固体媒体と比較するテスト結果データの図を示す。
【図３２】本開示の例示的な実施形態に係る、図１〜２１の固体媒体の分析性能を、既知の固体媒体と比較するテスト結果データの図を示す。
【図３３】本開示の例示的な実施形態に係る、図１〜２１の固体媒体の分析性能を、既知の固体媒体と比較するテスト結果データの図を示す。
【図３４】本開示の例示的な実施形態に係る、図１〜２１の固体媒体の分析性能を、既知の固体媒体と比較するテスト結果データの図を示す。
【図３５】本開示の例示的な実施形態に係る、図１〜２１の固体媒体の分析性能を、既知の固体媒体と比較するテスト結果データの図を示す。
【図３６】本開示の例示的な実施形態に係る、図１〜２１の固体媒体の分析性能を、既知の固体媒体と比較するテスト結果データの図を示す。
【図３７】本開示の例示的な実施形態に係る、図１〜２１の固体媒体の分析性能を、既知の固体媒体と比較するテスト結果データの図を示す。
【発明を実施するための形態】
【００３４】
本開示は、反応セル上の標的位置を決め、標的位置を使用してアッセイを実施するための方法及び装置に関する。以下の詳細に説明するように、例えば、計算時間を改善する点と、中心外での計測の感度を低減する点と、エッジ／フレームを回避し、非アッセイ信号の影響を最小化する点と、画像の欠陥（例えば、埃、コーティング欠陥、ウィッキング等）を検出する及び取り除き、バイアスや外れ値を減少させる点とで、本開示の方法及び装置は有利である。画像の欠陥は、異物粒子、気泡、ひっかき傷等も含みうる。本開示は、反応セルを乾燥スライド、反応キュベット又は固体媒体として説明するが、当業者は、例えば、ニトロセルロースのような多孔質媒体、オクタロニープレートのような半多孔質及び固体媒体、キュベット、フローセル又は反応管のような液体試薬装置、及び／又は光学測定ゾーンを備えるラテラルフローアレイが埋め込まれた固体媒体チップのような、他の種類の反応セルで本開示を使用可能であることを理解するだろう。
【００３５】
図１及び２は、本開示に従って使用可能な反応セルの例示的な実施形態を説明する。図１及び２において、反応セルは、本開示に係るアッセイシステム２０で使用可能な固体媒体１０である。固体媒体１０は、例えば、単層又は複層薄膜素子であることができ、流体サンプルがその上に吐出される。図示の実施形態では、固体媒体１０は、第１の層１２を含む複数の層を含み、第１の層は、開口を備え、該開口を通って液体サンプルを受容する上部ベース層を提供するように構成された上側スライド載置層であることができる。第１の層は、流体サンプルをその上に広げるように構成されてもよい。固体媒体１０は、特定のアッセイのために流体サンプルと反応するように構成された試薬を含む試薬層であり得る第２の層１４も含む。第２の層１４は、試薬層への支持又は剛性を提供する支持層も含むことができる。固体媒体は、光学分析に使用される低波長カットオフフィルタを提供するフィルタ層であり得る第３の層１６も、更に含む。第３の層１６は、光学分析のために、それを通る開口を備える、下部ベース層を提供するように構成される下部スライド載置層を含むことができる。
【００３６】
図３は、固体媒体１０上の流体サンプルの画像内の標的位置を決め、標的位置を使用して１つ以上のアッセイを実施するために構成されたアッセイシステム２０の例示的な実施形態を示す。図示のように、アッセイシステム２０は、少なくとも１つの固体媒体１０を受容するように構成されたスライド受容位置２２と、固体媒体１０上にサンプル流体を吐出するように構成されたサンプル吐出機構３２と、固体媒体１０上に位置する流体サンプルの少なくとも１つの画像を得るために固体媒体受容位置２２に対応して位置決め及び配置された画像化装置２４と、光を固体媒体１０上に投射することで、光が固体媒体１０上に吐出された液体サンプルによって変調され得るように構成された光源２６（例えば、１つ以上の発光ダイオードライト）と、任意に、光源２６からの光を、実施されているアッセイに固有の特定の波長に変調するように構成された光学フィルタ２８と、を含むことができる。
【００３７】
図示の実施形態において、スライド受容位置２２は、流体サンプルが固体媒体１０に加えられている間及び／又は固体媒体１０は光源２６によって照射され、画像化装置２４によって画像化される間、固体媒体１０を受容及び保持するように構成されている。図示の実施形態において、スライド受容位置２２は、第１の開口２２ａと第２の開口２２ｂとを作成する少なくとも１つのブラケットを含む。流体サンプルは、スライド受容位置２２の第１の開口２２ａで（例えば、第１の層１２の開口を通って）、固体媒体１０に加えられることができ、一方、流体サンプルが試薬と反応した後、スライド受容位置２２の第２の開口２２ｂにより、固体媒体１０が（例えば、第３の層１６の開口を通じて）照射され画像化されることができる。スライド受容位置２２によって固体異媒体１０が受け取られる前に、流体サンプルの追加が起きることもあり、スライド受容位置２２の下部にある第２の開口２２ｂと対向するように、スライド受容位置２２の上部にある第１の開口２２ａでは、固体媒体１０の照射及び画像化が起きうることが更に理解されるべきである。
【００３８】
図２のアッセイシステム２０は、制御ユニット３０を更に含んでもよく、制御ユニットは、１つ以上のアッセイシステム２０の構成要素を制御する、固体媒体１０上の流体サンプルの標的位置を決定する、及び本明細書に記載の方法に従って、固体媒体１０上の流体サンプルを分析するように構成されている。制御ユニット３０は、プロセッサと、本明細書に記載の方法を実施するための命令を記憶する非一時的メモリとを含んでもよく、プロセッサは、１つ以上のアッセイを実施するため、アッセイシステム２０の１つ以上の構成要素の制御するための命令を実行する。
【００３９】
図４は、本開示の例示的な実施形態に係るサンプル吐出機構３２によって固体媒体１０上に吐出されている流体サンプルを示す。実施形態において、固体媒体１０が、アッセイシステム２０のスライド受容位置２２に挿入される前に、流体サンプルは、ユーザによって手動で制御されたサンプル吐出機構３２を介して固体媒体１０上に吐出されうる。サンプル吐出機構３２は、例えば、ピペット又は当技術分野で既知の他の流体吐出機構であることができる。代わりに、アッセイシステム２０が、図３に示すように、サンプル吐出機構３２を含むこともできる。ここで、サンプル吐出機構３２は、ユーザによって又は制御ユニット３０によって制御され、固体媒体１０がアッセイシステム２０のスライド受容位置２２に挿入される前又は後に、流体サンプルを固体媒体１０上に（又は中に）吐出してもよい。
【００４０】
図４は、時間ｔ１からｔ５にわたって、固体媒体１０上に流体サンプルを吐出するサンプル吐出機構３２を示す。この時間の間に、滞留及び横方向の流れは、固体媒体１０中のコーティングされた材料の濃度のために空間的な勾配を作り出す。図示されているように、時間ｔ１で、流体サンプルは、サンプル吐出機構３２から固体媒体１０上に排出され、固体媒体１０と最初に接触する。時間ｔ２で、流体サンプルは、サンプル吐出機構３２から固体媒体１０上に排出され続け、滞留領域４４の形成が始まる。時間ｔ３で、流体サンプルは、サンプル吐出機構３２から固体媒体１０上に排出され続け、固体媒体１０全体に広がり、滞留領域４４のサイズが増加する。時間ｔ４で、サンプル吐出機構３２は、流体サンプルの排出を停止し始め、サンプル吐出機構３２と固体媒体１０との間に流体ネッキングを生じさせ、それにより、サンプル吐出機構３２のすぐ下の滞留領域４４に集中させる。時間ｔ５で、サンプル吐出機構３２は、もはや流体サンプルを排出しておらず、滞留領域４４を残している。図示の実施形態では、滞留領域４４は、変動が最も少ない領域に対応する。いくつかの実施形態では、滞留領域４４は、比較的低い光学密度変動性を有する及び／又は指示薬（例えば、サンプル色素）が比較的多く存在する。
【００４１】
図５は、図４の吐出プロセスにより生成された滞留領域４４による、流体サンプルによって固体媒体１０上に形成された液体レンズ４６を示す。図示するように、流体サンプルは、固体媒体１０上に円形の液体レンズ４６を形成する。図５に示すように、サンプル吐出機構３２からの軸対象の流体の流れにより円形の液体レンズ４６は形成され、該流れは、固体媒体１０のコーティングされた材料上で軸対象な分布をもたらす。
【００４２】
図６は、滞留領域４４にわたる液体レンズ４６の分布の例示的な実施形態を示す上面斜視図及び底面図を示す。図６の下側のプロットは、画像内の全てのピクセルにわたる２次元空間（つまり、ｘ及びｙ空間）における光強度を示す。液体レンズ４６の中心はより低い光強度を有し、一方、液体レンズ４６の縁はより高い光強度を有する。図６のグラフ７０は、グラフ７２と同じ情報を有するが、光強度を表すためにｚ軸を備える３次元形式で表示されており、ｘ軸及びｙ軸は、ピクセル位置を表す。ピクセル（ｘ座標及びｙ座標）の光強度が高い場合、グラフ７０と７２のｚ値は大きくなる。光強度は「ＡＤカウント」（「ＡＤＣ」）と呼ばれる値で測定される。明るいピクセルは、暗いピクセルよりも大きなＡＤカウント値を有する。
【００４３】
アッセイの動力学と、固体媒体１０のコーティングされた材料の均一性と、の違いにより、固体媒体１０上の流体サンプルから撮られた画像に形成され得る異なるパターンがある。図７Ａ〜７Ｃは、形成され得る３つの例示的なパターンを示す。図７Ａは凹状パターンを示す。図７Ｂは凸状パターンを示し、図７Ｃは、複雑なパターンを示す。図７Ａ〜７Ｃの全ての３つのパターンは、中心の滞留領域４４の共通の特徴と、局所的な非均一性によって乱されたＺ軸対称放射と、を共有する。本開示は、この共通の特徴を使用して、１つ以上のアッセイを実施する際に使用するための標的位置として、固体媒体上の流体サンプルの均一領域（例えば、比較的均一な光強度）の中心を位置決めする。
【００４４】
図８は、画像を取得し、本明細書に開示されるように画像を処理することによって、少なくとも１つのアッセイを実施するための方法１００を示す。実施形態において、制御ユニット３０は、プロセッサ及び方法１００のステップを実行するための命令を記憶する非一時的メモリを含み得る。プロセッサは、命令を実行して、アッセイシステム２０の構成要素に図８のステップを実行させる。図８に示すステップのうちの１つ以上は、本開示の精神および範囲から逸脱することなく、省略することができ、及び／又は追加のステップを加えることができ、及び／又は特定のステップの順序を再配置することができることが、当業者によって理解されるべきである。
【００４５】
ステップ１０２で、画像化装置２４は、固体媒体１０上に吐出された流体サンプルの少なくとも１つの画像を記録する。例えば、光源２６が固体媒体１０に光を投射している間に、画像を記録することができる。光源２６からの光は、固体媒体１０上の１つ以上の試薬と反応したサンプル中の標的分子によって発光光を透過させて、反応の視覚的表示（例えば、指示薬反応）を提供するように構成される。いくつかの例では、光学フィルタ２８及び／又は固体媒体１０によって提供されるフィルタは、光源２８からの光を変調するように構成される。画像化装置２４は、例えば、電荷結合デバイス（「ＣＣＤ」）カメラであることができ、これは、例えば、固体媒体１０上にほぼ楕円形又は円形の流体サンプルを示す２次元画像を記録することができる。実施形態において、特定のアッセイに必要な波長は、制御ユニット３０にプログラムされる又は提供されることができ、制御ユニット３０は、光源２６及び光学フィルタ２８を制御して、画像が画像化装置２４によって記録されている間に、実施されているアッセイのための正しい波長の光が、固体媒体１０に投射されるようにすることができる。
【００４６】
ステップ１０４で、制御ユニット３０は、画像を正規化し、アッセイの標的位置を決定する。ステップ１０４は、図９に示され、より詳細に説明されており、対応する説明は以下である。以下でより詳細に説明するように、ステップ１０４は、画像に基づいて複数の微分データ点を含む微分データのセットを１回以上作成し、複数の微分データ点のそれぞれのための画像勾配データ点を決定し、画像勾配データ点に基づいて固体媒体上の流体サンプルの標的位置を決定し、画像から画像の欠陥を除去する。
【００４７】
ステップ１０６では、制御ユニット３０は、例えば、標的位置及び／又は標的位置の周囲の指定された領域における、光強度又は他の値を検出することによって、ステップ１０４で決定された標的位置を使用する。実施形態において、標的位置を中心点として使用して、標的位置の周りの指定された領域を形成することができる。例えば、標的位置を使用して、固体媒体１０上に投射された光からの信号を検出するために使用される読み取り領域を作成することができる。２０１８年７月２日に出願された「縮小された読み取りウィンドウを使用するドライスライドアッセイ」と題する米国仮出願第６２／６９３，１２０号は、標的位置の周囲に読み取り領域を作成するための方法を更に説明しており、この文献を参照により本明細書に組み込み、依拠する。他の実施形態では、標的位置を使用して、例えば、機器計測システム及び／又は光学系を位置合わせし、維持間隔を予測し、及び／又は反応セル干渉によるスペクトル誤差を最小化することができる。
【００４８】
ステップ１０８で、制御ユニット３０は、例えば、標的位置で、及び／又は標的位置から作成された読み取り領域内で、固体媒体１０に投射された光からの画像信号の平均光強度を算出する。実施形態において、平均光強度は、読み取り領域内のＡＤカウント値の合計を読み取り領域の総面積（総ピクセル数）の合計で割ったものである。
【００４９】
ステップ１１０で、制御ユニット３０は、標的位置を使用して応答を算出する。エンドポイントアッセイ（例えば、ＵＲＥＡ）について、応答を、同じスライド又は固体媒体１０の異なる２つの読み取り間の信号差によって計算することができる。レートアッセイ（例えば、ＡＳＴ）について、応答を、同じ単一のスライド又は固体媒体１０の複数の読み取りからの信号の経時変化の比率から算出することができる。スライド又は固体媒体１０の位置は、インキュベーターの回転により時間とともにわずかに変化する可能性があるため、時間の経過とともに同じスライド媒体１０上の各画像の標的位置を見つけることが望ましい。
【００５０】
ステップ１１２で、制御ユニット３０は、例えば、応答を濃度に関連付ける較正曲線を使用して、流体サンプルの濃度を計算することによって、アッセイの実施を終了する。検量線は、既知の濃度の流体とその濃度に対応して得られる応答とを使用する較正プロセスで得ることができる。検量線では、濃度は応答の既知の関数である。実施形態において、制御ユニット３０は、複数の画像からの標的位置を使用して、複数の異なるアッセイを実施することができる。
【００５１】
図９Ａ及び９Ｂは、方法１００のステップ１０４をより詳細に示す方法２００を示す。
具体的に、図９Ａ及び９Ｂは、標的位置を検出するため（図９Ａ）、及び画像の欠陥（例えば、画像欠陥を修正する、又はエラーを報告する）を処理するため（図９Ｂ）に特別に設計されたアルゴリズムを示し、アッセイの正確性を改善する、及びアッセイのバイアス及び外れ値を減少させる。以下でより詳細に説明するように、標的位置を検出する際に（図９Ａ）、アッセイ固有のステップサイズでの画像の一次微分を使用して、画像勾配を取得する。次に、閾値を適用して、高勾配領域を削除する。最後に、画像の残りのピクセルの中心が標的位置として使用される。
【００５２】
標的位置（例えば、最小の変動及び最大の信号を有する均一な領域の中心）を見つけた後、標的位置と同期位置との間の距離をチェックする、標的位置と関連するスパイクの数を検出する、及び標的位置の軸対称性とノイズレベルとを分析することによって、画質を調べることができる（図９Ｂ）。チェックされた量の１つ以上でアッセイ固有の閾値を超える場合、画像に対してエラーコードが発行され、該エラーコードは、分析された流体サンプルは信頼できないと判断される可能性があるため、方法１００を新しい流体サンプルで再開する必要があることを示す。エラーが見つからない場合、標的位置での画像の平均光学強度を上記のように算出することができる。いくつかの実施形態において、スパイクの数が閾値を下回る場合、方法２００は、画像からスパイクを除去するように構成され、それによりアッセイシステムの再現性を改善する。しかし、スパイクの数が閾値を超える場合、画像は破棄される又は、エラーコート及び／又はアラートに関連付けられる。
【００５３】
本開示の精神および範囲から逸脱することなく、図９Ａ及び９Ｂに示す１つ以上のステップを省略する、及び／又は追加のステップを追加することができる、及び／又は特定のステップの順序を再配置することができることが当業者によって理解されるべきである。方法１００と同様に、制御ユニット３０は、プロセッサと、図９Ａ及び９Ｂの方法のステップを実行するための命令を格納する非一時的なメモリと、を含み得ることが理解されるべきである。プロセッサは、命令を実行して、アッセイシステム２０の構成要素に開示されたステップを実行させる。
【００５４】
ステップ２００は、図８のステップ１０２で画像化デバイス２２によって記録された画像から始まる。ステップ２００で、制御ユニット３０は、例えば、アッセイタイプ、流体サンプルのデフォルトの中心４０、流体サンプルについて検出されたパターンのタイプ（例えば、凹状、凸状、複雑）等に関連するメタデータに画像を関連付けることによって画像を分析する。メタデータに格納されたパラメータは、事前にプログラムされ、制御ユニット３０のメモリ内に格納されることができ、又は特定のアッセイのためにユーザによって入力されることができる。流体サンプルのデフォルト中心４０は、例えば、固体媒体１０の中心、又は流体サンプルの中心があると予想される吐出位置の中心であり得る。
【００５５】
流体サンプルについて検出されたパターンのタイプは、例えば、固体媒体１０中の可溶性材料の再分布に対する感度、分析物／試薬濃度、及び／又は化学の動力学に応じて、平坦又は非平坦（例えば、凹状、凸状、又はより複雑な形状）であり得る。図１０は、固体媒体１０上に吐出された流体によって形成された異なる例示的なパターンを示し、一方、図１１は、異なるアッセイのための元の画像及び一次空間微分を示す図を示す。図１０及び１１は、滞留領域４４により小さな値があることを示す。図示のように、流体サンプルは、例えば、非常に小さな勾配を有する滞留領域４４（例えば、ピーク又は谷強度）、より大きな勾配を有する洗い流し領域、及び／又は大きな勾配のあるエッジ（乾湿界面又はスライドフレームから）を有し得る。２０１８年７月２日に出願された「縮小された読み取りウィンドウを使用したドライスライドアッセイ」と題された米国仮出願第６２／６９３，１２０号は、洗い流し領域がどのように画像に影響を及ぼし、大きな勾配を引き起こし得るかを更に説明し、その説明は引用によって本明細書に組み込まれ、依拠される。本方法によれば、適切な閾値が適用されると、すべての大きな勾配領域を除去することができ、滞留領域４４を識別することができる。
【００５６】
ステップ２０２で、制御ユニット３０は、画像がまだこの形状になっていない場合、画像をフラットフィールド画像に変換することによって画像を正規化する。実施形態において、画像を正規化することは、エラーを低減するために、読み取り領域全体に適用される光エネルギーを正規化することを含む。実施形態において、正規化は２つのステップを有する。最初のステップは、生の信号からダークリード信号を差し引くことを含む。ダークリード信号は、光源がオフになっているＣＣＤセンサからのデジタル信号である。この計算により、バックグラウンドのデジタルノイズが最小化される。第２のステップは、信号にフラットフィールド関数を乗算することにより、フラットフィールド信号を使用して暗補正信号を正規化することである。フラットフィールド関数は、均一で平らな白色及び／又は反射面である標準面を読み取ることによって取得される。フラットフィールド関数は、標準面の面全体で「１」の値を生成する関数である場合がある。測定された光強度分布がｆ＝ｆ（ｘ，ｙ）であると仮定すると、フラットフィールドはＦ＝１／ｆである。
【００５７】
ステップ２０４で、制御ユニット３０は、例えば、画像トリミングサイズ、ステップサイズ、閾値パラメータ等のアッセイ固有のパラメータを決定または受け入れる。アッセイ固有のパラメータは、事前にプログラムされ、制御ユニット３０のメモリ内に格納されることができ、又は特定のアッセイのためにユーザが入力することができる。画像トリミングサイズは、例えば、ステップ２０６でトリミングされる画像に意図されるサイズであることができ、入力される、又は制御ユニット３０によって自動生成されることができる。例示的な実施形態では、画像トリミングサイズは、中心点周りの直径（たとえば、デフォルトの中心４０）が約４．５ｍｍであることができる。ステップサイズと閾値パラメータも同様に入力される、又はプロセスの後のステップで使用される所定の値である。各アッセイは、独自のトリミングサイズ、ステップサイズ、及び閾値を有する（例えば、ＵＲＩＣトリミングサイズ＝３．６４ｍｍ、ステップサイズ０．２８ｍｍ、及び閾値＝１０）。
【００５８】
ステップ２０６で、制御ユニット３０は、画像の領域４６を切り出す。例では、制御ユニット３０は、固体媒体１０上の流体サンプルのデフォルト中心４０の予想される位置に基づいて領域４６をトリミングする。実施形態において、デフォルト中心４０は、例えば、固体媒体１０の中心として、又は流体サンプルの中心が予想される吐出位置の中心としてステップ２００から知られている。したがって、画像は、例えば、ステップ２０４で決定された画像トリミングサイズに基づくデフォルトの中心４０を囲む円（例えば、直径４．５ミリメートル（「ｍｍ」）を有する円）としてトリミングすることができる。別の実施形態において、画像は、特定のサイズに制限されることなく、検出された光強度に基づいてトリミングすることができる。２０１８年７月２日に出願された、「縮小読み取りウィンドウを使用したドライスライドアッセイ」と題された米国仮出願第６２／６９３，１２０号は、画像の領域を切り取って読み取り領域を作成する方法を更に説明しており、その説明は、引用により本明細書に取り込まれ、依拠される。
【００５９】
ステップ２０８において、制御ユニット３０は、トリミングされた画像のデフォルトの中心４０を記録する。実施形態において、デフォルトの中心４０は、ステップ１０２から既知であり、画像は、デフォルトの中心４０に基づいてトリミングされる。別の実施形態では、デフォルトの中心４０は、トリミングされた画像の中心に対応せず、新しくトリミングされた画像に基づいて決定され得る。例えば、画像は、ステップ２０６で光強度に基づいてトリミングされることができ、次いで、デフォルトの中心４０は、トリミングされた画像の幾何学的中心として記録されることができる。
【００６０】
ステップ２１０〜２１４で、制御ユニット３０は、トリミングされた画像に基づいて、複数の微分データ点を含む微分データのセットを作成する。実施形態において、微分データ点は、画像内の色に基づく一次微分であることができ、それぞれが、二値画像を定義する画像勾配データ点を含み得る。実施形態において、少なくとも１つの画像の色は、光強度を表す。実施形態において、一次微分は、空間における画像光強度を示すものである。例えば、画像内の各ピクセルには、ＡＤカウント（つまり、ＡＤＣ）で測定された固有の光強度を有する。一次微分は、事前に定義された距離でのピクセル間の光強度の差を、ピクセル間の距離で割ったものであり得る。
【００６１】
ステップ２１０で、制御ユニット３０は、ステップ２０４で決定されたアッセイ固有のステップサイズで、トリミングされた画像の一次微分（例えば、傾き）の絶対値を取得することによって、微分データのセットを作成する。一次微分は、トリミングされた画像内のアッセイ固有のステップサイズを使用して、中心差分法を使用して計算できる。例えば、微分データのセットは、以下の式：
Slope1=max(|du/dx|,|du/dy|)
を使用して決定できる。ここで、ｕは画像内のピクセルでの光強度（ＡＤカウント値）である。ｘ及びｙは、そのピクセルの座標位置である。傾きはｘ方向とｙ方向との両方に沿って計算でき、最大絶対値は傾きとして定義できる。微分を計算するためのステップサイズは、アッセイ固有である。以下でより詳細に説明するように、スロープ1（Slope1）が閾値よりも小さい場合、その質量の値は「１」であり、それ以外の場合、その質量の値は「０」である。
【００６２】
ステップ２１２及び２１４で、制御ユニット３０は、微分データのセットの複数の微分データ点のそれぞれについて画像勾配データ点を決定し、それにより二値画像を生成する。実施形態において、ステップ２１２で、ステップ２１０で決定されたスロープ1がアッセイ固有の閾値よりも大きい場合、制御ユニット３０は、画像勾配データ点をゼロ（０）に設定する。つまり、より勾配の高いピクセルはゼロ（０）に設定され、二値画像からスパイク、エッジ等を削除する。次に、ステップ２１４で、制御ユニット３０は、画像勾配データ点がゼロ（０）の値より大きい場合、画像勾配データ点を１の値に等しく設定する。つまり、スロープ1が閾値を超える場合、各ピクセル位置での画像勾配データ点（例えば、二値画像内の位置での質量）は、ゼロ（０）であり、スロープ1が閾値を下回る場合は１である。実施形態において、第２の画像勾配データ点よりも低い画像勾配を有する第１の画像勾配データ点が含まれるか、１に設定され、及び／又は（ii）第１の画像勾配データ点より高い画像勾配を有する第２の画像勾配データ点は除外される、又はゼロ（０）に設定される。
【００６３】
ステップ２１６で、制御ユニット３０は、画像勾配データ点に基づいて（例えば、楕円形または円形の）流体サンプルの標的位置を決定する。例えば、標的位置は、二値画像（例えば、図９Ａに示される二値画像）の重心として計算され得る。実施形態において、中心位置は、以下の式：
【数１】
2021529962.tif 000003
を使用して取得することができる。式において、質量ｍｉｊは、その位置インデックスｉとｊとの関数である。座標値ｘｉｊとｙｉｊとも、位置インデックスｉとｊとの関数である。質量は、全てのインデックスにわたって閾値内にあるかどうかに応じて、「１」又は「０」の値と等しい。中心Ｘｃ座標は、すべてのインデックスにわたる質量と対応するｘ座標との積を合計し、その積の合計を総質量で除算して算出される。同様に、中心Ｙｃ座標は、すべてのインデックスにわたる質量と対応するｙ座標との積を合計し、その積の合計を総質量で除算することにより算出される。
【００６４】
次に、二値画像の重心は、固体媒体１０上の流体サンプルの均質領域のほぼ幾何学的中心である、固体媒体１０上の流体サンプルの標的位置として指定され得る。
【００６５】
図９Ｂのステップ２１８〜２５２において、制御ユニット３０は、画像からの欠陥（例えば、画像の不完全性、塵、コーティング欠陥、ウィッキング、異物粒子、気泡、傷などに起因する）を検出する及び／又は除去するように構成され、及び／又は標的位置（例えば、ステップ２１６から決定された流体サンプルの中心）に基づいてエラー状態を決定するように構成される。また、エラーは、汚れたプロジェクタ光学系のようなアッセイシステム２０の反射計照明システムの問題を示すものであってもよい。例えば、図１２によって示されるように、画像には多くの異なる不完全性（例えば、埃、中心外への吐出、ウィッキング、異物粒子、気泡、傷等）があり、これはアッセイに悪影響を与える可能性がある。
【００６６】
ステップ２１８において、制御ユニット３０は、ステップ２１６で決定された標的位置を、以前に決定されたデフォルト中心４０と比較する。実施形態において、デフォルト中心と標的位置との間の距離が閾値よりも大きい場合、制御ユニット３０は、ステップ２２０でエラーを報告し、ステップ２２２で分析を終了してもよい。これは、分析された流体サンプルは信頼性がないと考えられるため、その後、新しい流体サンプルを用いて、方法１００を再開すべきであることを意味してもよい。
【００６７】
ステップ２２４で、制御ユニット３０は、画像の平坦度が閾値未満であるかどうかを判別する。実施形態において、画像の平坦度は、トリミングされた画像の中央の垂直方向の長さ及び水平方向の長さを横切る２つの直線的な傾き（絶対値およびＡＤＣ平均によって正規化された値）の最大値である。ＡＤカウント値（ＡＤＣ）は、サンプル中の分析物濃度に応じて大きな範囲（例えば、１００００〜５０，００００）で変化するので、ＡＤカウント値は、ＡＤカウント値をその平均値で除算することによって正規化される。このようにして、傾きの変化は、分析物濃度よりもむしろ平坦度に関係している。そして、ＡＤカウント値の平均値を求め、その平均値でＡＤカウント値を除算する。傾きの絶対値を使用して画像が平坦かどうかを判断するため、傾きは正でも負でもよい。画像は光強度分布では凹状であっても凸状であってもよいが、中心（吐出位置）で軸対称とする。
【００６８】
画像の平坦度がステップ２２６で閾値未満である場合、制御ユニット３０は、ステップ２２８でエラーを報告し、ステップ１２２で分析を終了することができる。これは、分析された流体サンプルは信頼できないと考えられ、新しい流体サンプルを用いて方法１００が次に再開されるべきであることを示すことができる。
【００６９】
ステップ２３０で、制御ユニット３０は、決定されたステップサイズ（例えば、１のステップサイズ）で、トリミングされた画像の一次微分を作成する。例えば、一次微分データは、次の式：
Slope2=|du/dx|+|du/dy|
を使用して決定できる。
【００７０】
ステップ２３２において、制御装置３０は、新しい中心領域内のスロープ２（Slope2）の平均値（ＭＥＡＮ）と標準偏差（ＳＤ）とを取得する。ステップ２３４において、制御部３０は、標準偏差／平均が閾値以下であるか否かを決定する。標準偏差／平均が閾値以下である場合、制御装置３０は、ステップ２３６でエラーを報告し、ステップ２３８で分析を終了してもよい。これは、分析された流体サンプルは信頼性がないと考えられるため、その後、方法１００を新しい流体サンプルを用いて再開すべきであることを意味してもよい。
【００７１】
ステップ２４０において、制御装置３０は、２つのアッセイ固有の定数、SpikeValueMax及びn、を定義してもよい。実施形態において、スパイク最大値（SpikeValueMax）は、アッセイ性能実験によって決定された値を表し、各アッセイについて提供され、一方、ｎは、正の数を表し、スパイク検出閾値であるスパイク勾配限界（SpikeGradientLimit）を定義するための値を計算するために使用される。次いで、制御装置３０は、例えば以下の式：
SpikeGradientLimit=min(SpikeValueMax, MEAN+n*SD)
を用いてスパイク勾配限界を定義してもよい。上記の式において、SpikeValueMaxとMEAN+n*SDの最小値は、画像読み取り領域内の傾きが限界を超えるかどうかを検出するために使用される閾値であるスパイク勾配限界を定義するために使用される。
【００７２】
ステップ２４２および２４４において、制御装置３０は、トリミングされた画像から大きな勾配のスパイクを除去する。例示的な実施形態において、スパイクはスパイクマスク（SpikeMask）を定義することによって除去され、ここで、ある点のスロープ1（Slope1）がスパイク勾配限界（SpikeGradientLimit）よりも大きい場合、スパイクマスクは、ゼロ（０）の値に等しく、ある点のスロープ1がスパイク勾配限界よりも小さい場合、スパイクマスクは、１の値に等しい。別の実施形態において、スパイクは、所定の閾値以上であるか、又は所定の閾値以下であることに基づいて除去されてもよい。
【００７３】
ステップ２４６で、制御ユニット３０は、ステップ２４０および２４２で検出されたスパイクの総数を決定する。画像から検出及び除去されたスパイクの数が少ない場合でも、画像内の残りのピクセルは、その固体媒体１０の信号を計算するために使用される。しかし、検出されたスパイクの数がアッセイ実験に基づいて事前に定義された制限を超える場合、制御ユニット３０は、ステップ２４８でエラーを報告し、ステップ２５２で分析を終了することができる。これは、分析された流体サンプルは信頼できないと考えられるため、方法１００は、新しい流体サンプルを用いて再開されるべきであることを意味することができる。
【００７４】
ステップ２５０で、制御ユニット３０は、標的位置によって定義されたトリミングされた画像内で統合し、検出された欠陥を除去し、結果として得られた画像を方法１００のステップ１０６で使用できるようにする。
【００７５】
図１３は、固体媒体１０上の埃の斑点が、どのように対応する画像のスパイクを引き起こす可能性があるかの例を示す。図示されているように、スパイクを除去することで、画像を使用して実施されるアッセイに対するバイアスも除去することができ、アッセイの信頼性が向上する。
【００７６】
図１４及び１５は、本開示の方法によって達成される利点を示す。図１４において、ＴＰｘｔは、アッセイがマルチテスト形式（スライドあたり２回のテスト）のＴＰ（「トータルプロテイン」）であることを意味する。ＣＯＭ（丸で示す）は、本開示の方法を用いて発見された標的位置で読み取った場合の精度を表す。ＰＳ（四角で示す）は、実際の吐出位置を知らずに、予め指定された中心（例えば、想定される吐出位置）で読み取った場合の精度を示す。各読み取り直径での変動係数（ＣＶ％）は、テストした全てのサンプルの平均である。
【００７７】
図１６は、本開示の例示的な実施形態に従った、図１〜図５の固体媒体１０の実施形態を示す。図１６の固体媒体１０は、上で議論された滞留領域４４に対応する２つの化学チップ１６０２ａおよび１６０２ｂを含む。上述のように、滞留領域は、流体計量チップの開口部の直下にある化学チップの領域に対応する。滞留領域４４はまた、半径方向の流体の流れがほとんどない、又は全くないことによって特徴付けられてもよい。スポット中心及び領域から半径方向に外側に位置し、化学チップの中心から離れた方向を指す流体流れベクトルが存在する。この領域には、ある程度の量の化学チップ試薬の洗い流しが存在する。滞留ゾーン又は領域４４は、この洗い流しを経験せず、化学反応が完了すると、滞留領域４４の外側の領域と比較して、異なる光学密度を有することができる。いくつかの例では、滞留ゾーン又は領域４４は、有意なレベルの半径方向の流体の流れがなく、これにより、低い光学的変動性の領域および高い指示薬（色素）が存在する領域が生成される。
【００７８】
いくつかの例では、化学チップ及び／又は滞留領域４４は、反応セル内の流体サンプルの標的位置に対応する。標的位置又は化学チップは、反応セル内で試薬と反応する流体サンプル中の標的分子としての表示のために、指示薬が発現されるように、指示薬反応が起きる位置に対応する。いくつかの例では、化学チップ１６０２ａ及び１６０２ｂは、それぞれ、液体が充填された反応キュベットを含んでもよい。これらの例では、反応キュベットの画像化は、キュベット壁に気泡、破片、及び／又は傷を示す可能性がある。識別された欠陥は識別され、分析及びアッセイ結果に関連してその影響を緩和することができる。
【００７９】
化学チップ１６０２を使用することで、サンプルに必要な面積を減らし、スライド上に複数のサンプルを分散させることができる。化学チップ１６０２の各々は、同一の固体媒体１０を用いた同一の又は異なる分析を可能にするために、サンプルから同一の流体を受け取ってもよい。あるいは、化学チップ１６０２の各々は、同じスライド１０を用いた同一の又は異なる分析を可能にするために、異なる流体を受け取ってもよい。更に、図１６は、２つの化学チップ１６０２を示すが、他の例では、固体媒体１０は、３つ、４つ等の追加の化学チップを含んでもよい。固体媒体１０上に複数の化学チップを含むことは、固体媒体を移動させることなく同じ固体媒体１０上で複数の分析を行うことができるので、アッセイシステム２０の操作効率を向上させることが理解されるべきである。対照的に、単一の化学チップのみを有する固体媒体は、複数の化学チップを有する単一の固体媒体１０と同じ分析を実施するために、２つ以上の別個の固体媒体の処理を必要とする。
【００８０】
図１６は、化学製品固体媒体の組み合わせの例も示す。組み合わせは、トリグリセリド−コレステロール（ＴＲＩ−ＣＨＯＬ）、総ビリルビン−アルカリホスファターゼ（ＴＢＩＬ−ＡＬＫＰ）、アラニンアミノトランスフェラーゼ−アスパラギン酸アミノトランスフェラーゼ（ＡＬＴＶ−ＡＳＴ）、尿素−クレアチニン（ＵＲＥＡ−ＣＲＥＡ）、グルコース−カルシウム（ＧＬＵ−ＣＡ）、及びアルブミン−トータルプロテイン（ＡＬＢ−ＴＰ）を含む。他の組み合わせが固体媒体１０上に作成され、実装され得ることが理解されるべきである。
【００８１】
図１７は、本開示の例示的な実施形態に従って、各々の固体媒体１０の化学チップ１６０２上に配置されたサンプルを含む、図３のアッセイシステムによって記録された画像を示す。上述したように、流体のサンプルの吐出は、化学チップ１６０２上に液体レンズ４６を形成する。図１７の例示的な固体媒体１０は、既知の従来のシングルスライド試験と比較して分析性能を維持しつつ、サンプルサイズを小さくし、アッセイシステム２０の操作効率を高めるように構成されている。各々の化学チップ１６０２内に配置された小さなサンプル量のために、分析測定のための領域のサイズが小さくなる。いくつかの例では、アッセイシステム２０は、可能性のある性能感度を緩和するために、上で議論したように、デジタル化学技術を使用してもよい。図１７に示すように、デジタル化学は、波長が特異的なＬＥＤを使用して、デジタル画像反射計に固体媒体１０の画像を記録又は捕捉する。アッセイシステム２０は、１つ以上の画像化アルゴリズムを使用して、測定位置の変動又は封じ込め物（例えば、埃）が存在しても、サンプルの最適領域の分析を確実にすることによって（上述したように）、化学的結果を改善する。
【００８２】
図１７に示すように、アッセイシステム２０は、画像化アルゴリズムを使用して、それぞれのチップ１６０２ａ〜１６０２ｄの中心４０ａ〜４０ｄとして示される中心４０を決定する。上述したように、中心４０は、吐出先端及びスライドが完全に整列された場合の理論的なスポット中心であるデフォルトの中心と同じであってもよいし、そうでなくてもよい。次に、アッセイシステム２０は、中心４０の周囲の特定の半径を分析する。この半径は、図中の破線で示されるように、１ｍｍから８ｍｍの間、好ましくは約２．２５ｍｍである。
【００８３】
図１８は、本開示の例示的な実施形態に従って、埃又は別の汚染物質１８０２がサンプルに含まれている図３のアッセイシステム２０によって記録された画像１８００を示す。図１９は、本明細書に開示の方法を用いてアッセイシステム２０によって実施された図１８のサンプルの分析を示す。第１のグラフ１９０２は、異常１８０２が検出されて除去される前の分析結果を示す。第２のグラフ１９０４は、異常１８０２が検出され除去された後の分析結果を示す。図示された例では、画像化アルゴリズムが異常を検出し、処理された画像１９０６（図１８の画像１８００から導かれた）から異常を除去する。その結果、異常は、サンプルのその後の分析には含まれない。いくつかの例において、アッセイシステム２０は、異常と関連付けられたピクセルカラーを、周囲のピクセルカラーと一致するカラー、又はその後の分析のためのデータがないことを示すピクセルカラーに変更することによって、異常を除去する。
【００８４】
図２０は、本開示の例示的な実施形態に従って、埃又は別の汚染物質がサンプルに含まれている、図３のアッセイシステム２０によって記録された別の画像２０００を示す。図２１は、アッセイシステム２０によって実施されたサンプルの分析を示す。第１のグラフ２１０２は、異常が検出されて除去される前の分析結果を示す。第２のグラフ２１０４は、異常が検出されて除去された後の分析結果を示す。前の例と同様に、画像化アルゴリズムは、異常を検出し、処理された画像２１０６（図２０の画像２０００から導かれた）から異常を除去する。その結果、異常は、サンプルのその後の分析には含まれない。加えて、アッセイシステム２０は、分析フィールド（例えば、中心の周りの円）内に含まれる異常補正された位置の数を減少させる、又は最小化するように、画像２１０６の中心４０を移動させるように構成されている。
【００８５】
図２２〜図３７は、図１〜図２１の例示的な固体媒体１０の分析性能を既知のスライド又は固体媒体と比較した試験結果データを示す。図２２及び図２３の例示的な実施例では、固体媒体１０はアッセイシステム２０を用いて分析され、一方、既知のスライド又は固体媒体は既知の従来のアッセイシステムを用いて分析された。実施例において、２つの血清濃度に対する例示的な固体媒体１０のうちの６つが、例示的なアッセイシステム２０上の品質管理材料を用いて評価された。単一の較正のための性能の総ラボ内精度（分散係数（％ＣＶ）として報告された）を、ＣＬＳＩ  ＥＰ０５ガイドラインに従って、１日あたり２回の実施で、２０日間にわたって１回の実施につき２回の複製で、合計８０回の複製で評価した。アッセイシステム２０によって分析された例示的な固体媒体１０の最も悪いラボ内精度を、従来のアッセイシステムを使用して分析された対応する単一の先行技術の試験スライドと比較した。
【００８６】
％ＣＶはサンプルデータの平均に対する標準偏差の比率に相当し、アッセイの精度と再現性の指標を与え、低い値はより高い精度と再現性に対応する。
【００８７】
図２２は、表２２００の図であり、各スライド化学（ＵＲＥＡ、ＴＲＩＧ、ＧＬＵ、ＡＬＢ、ＴＢＩＬ、ＡＬＴＶ、ＣＲＥＡ、ＣＨＯＬ、ＣＡ、ＴＰ、ＡＬＫＰ、及びＡＳＴ）についての２つの血清レベルと、従来のアッセイシステムを使用した先行技術のスライド及び例示的なアッセイシステム２０を使用した例示的な固体媒体１０とについての対応する％ＣＶを示す。図示のように、２４の異なる試験のうち、アッセイシステム２０を使用した固体媒体１０は、２４の異なる試験のうちの１９の試験において、より低い％ＣＶを有していた。図２３は、グラフ２３００を示し、既知の先行技術のスライドと、アッセイシステム２０を使用して分析された本明細書に開示の例示的な固体媒体１０との間の、異なるスライド化学試験のそれぞれについての％ＣＶの差を示す。図示のように、アッセイシステム２０を用いて例示的な固体媒体１０を使用することは、先行技術のスライドと比較して、ほとんどのスライド化学試験においてより良好な％ＣＶを提供した。
【００８８】
図２４〜図３７の例示的な実施例では、外部精度試験を実施した。この試験では、先行技術の試験スライドを、従来のアッセイシステムを用いて分析した。１２のケミストリーを有するテストスライドを、２つの血清濃度について分析した。統計的データの外れ値は分析から除去した。残りのデータについてShapiro-Wilk正規性検定を実行し、正規性からの重大な逸脱を示すセットを削除した。各スライドの血清と試薬のロットの組み合わせについて％ＣＶを計算した。％ＣＶ測定値は、試薬ロット内で平均化され、例示的なアッセイシステム２０で分析された例示的な固体媒体（１０）のラボ内でのより悪い精度と比較した。
【００８９】
図２４は、表２４００の図を示し、各スライド化学（ＵＲＥＡ、ＴＲＩＧ、ＧＬＵ、ＡＬＢ、ＴＢＩＬ、ＡＬＴＶ、ＣＲＥＡ、ＣＨＯＬ、ＣＡ、ＴＰ、ＡＬＫＰ、およびＡＳＴ）についての２つの血清レベル、及び、従来のアッセイシステムを使用した先行技術のスライドと、例示的なアッセイシステム２０を使用した例示的な固体媒体１０と、についての対応する％ＣＶを示す。図示されているように、２４の異なる試験のうち、アッセイシステム２０を使用した固体媒体１０は、２４の異なる試験のうちの２０において、より低い％ＣＶを有した。図２５は、グラフ２５００を示し、アッセイシステム２０を使用して分析された、既知の先行技術のスライドと本明細書に開示の例示的な固体媒体１０との間の、異なるスライド化学試験のそれぞれについての％ＣＶ差を示す。
【００９０】
図２６〜３７は、例示的な固体媒体１０及び既知の先行技術のスライドについての各試薬ロット番号についての結果を示すグラフを示す。グラフにおいて、固体媒体１０は、３つのロットが提供され、「ＸＴ・・・ロット番号」と称される。加えて、先行技術スライドに関連するデータは、「ＳＴ・・・ フィールド由来」および「ＳＴ平均」と称される。それぞれのグラフは、血清（ＰＶＩ）および（ＰＶII）のそれぞれについての精度％ＣＶを提供する。
【００９１】
図２６のグラフ２６００は、アッセイシステム２０によって分析された例示的な固体媒体１０が、従来のアッセイシステムによって分析された先行技術のスライドと比較して、ＴＲＩＧスライド化学試薬のための低い％ＣＶを有していたことを示す。図２７のグラフ２７００は、アッセイシステム２０によって分析された例示的な固体媒体１０が、従来のシステムによって分析された既知の先行技術のスライドと比較して、わずかに高い％ＣＶを有するＰＶＩ血清のロット３を除き、ＣＨＯＬスライド化学試薬についてより低い％ＣＶを有していたことを示す。図２８のグラフ２８００は、アッセイシステム２０によって分析された例示的な固体媒体１０が、従来のアッセイシステムによって分析された先行技術のスライドと比較して、ＧＬＵスライド化学試薬について低い％ＣＶを有していたことを示している。図２９のグラフ２９００は、アッセイシステム２０によって分析された例示的な固体媒体１０が、従来のアッセイシステムによって分析された先行技術のスライドと比較して、ＣＡスライド化学試薬について低い％ＣＶを有していたことを示す。
【００９２】
更に、図３０のグラフ３０００は、アッセイシステム２０によって分析された例示的な固体媒体１０が、従来のアッセイシステムによって分析された先行技術のスライドと比較して、ＴＰスライド化学試薬について低い％ＣＶを有していたことを示す。図３１のグラフ３１００は、アッセイシステム２０によって分析された例示的な固体媒体１０が、従来のアッセイシステムによって分析された先行技術のスライドと比較して、ＡＬＢスライド化学試薬について低い％ＣＶを有していたことを示す。図３２のグラフ３２００は、アッセイシステム２０によって分析された例示的な固体媒体１０が、従来のアッセイシステムによって分析された先行技術のスライドと比較して、ＡＬＶスライド化学試薬について低い％ＣＶを有していたことを示す。図３３のグラフ３３００は、アッセイシステム２０によって分析された例示的な固体媒体１０が、従来のアッセイシステムによって分析された先行技術のスライドと比較して、ＡＳＴスライド化学試薬について低い％ＣＶを有していたことを示す。
【００９３】
図３４のグラフ３４００は、アッセイシステム２０によって分析された例示的な固体媒体１０が、従来のアッセイシステムによって分析された先行技術のスライドと比較して、ＵＲＥＡスライド化学試薬について高い％ＣＶを有していたことを示している。しかし、例示的なシステムと従来システムとの間の％ＣＶの差は０．５％未満である。図３５のグラフ３５００は、アッセイシステム２０によって分析された例示的な固体媒体１０が、従来のアッセイシステムによって分析された先行技術のスライドと比較して、ＣＲＥＡスライド化学試薬について低い％ＣＶを有していたことを示す。図３６のグラフ３６００は、アッセイシステム２０によって分析された例示的な固体媒体１０が、従来のアッセイシステムによって分析された先行技術のスライドと比較して、ＡＬＫＰスライド化学試薬について、％ＣＶがほぼ等しい、又は低いことを示す。図３７のグラフ３７００は、アッセイシステム２０によって分析された例示的な固体媒体１０が、従来のアッセイシステムによって分析された先行技術のスライドと比較して、ＴＢＩＬスライド化学試薬について低い％ＣＶを有していたことを示す。
【００９４】
（結論）
本明細書に記載された現在好ましい実施形態に対する様々な変更および修正は、当業者には明らかであることが理解されるべきである。そのような変更および修正は、本主題の精神及び範囲から逸脱することなく、またその意図された利点を減じることなく行うことができる。従って、そのような変更および修正は、添付の請求項によって含められることが意図される。
【００９５】
他が示されていない限り、本明細書及び請求項で使用される成分の量、分子量、反応条件等の特性を表す全ての数値は、全ての場合において、「約」という用語によって修正されているものとして理解されるべきである。従って、反対が示されていない限り、以下の明細書および添付の請求項に記載された数値パラメータは、本開示によって得られるように求められる所望の特性に応じて変化し得る近似値である。少なくとも、特許請求の範囲への等価性の原則の適用を制限する試みとしてではなく、各数値パラメータは、少なくとも、報告された有効数字の数に照らして、通常の四捨五入を適用して解釈されるべきである。本開示の広い範囲を規定する数値範囲及びパラメータは近似値であるにも関わらず、特定の実施例に規定された数値は、可能な限り正確に報告されている。しかしながら、任意の数値は、本質的に、それぞれの試験測定において見出された標準偏差から必然的に生じる一定の誤差を含んでいる。
【００９６】
本開示の文脈（特に以下の請求項の文脈）で使用される用語「ａ」、「ａｎ」、「ｔｈｅ」、および類似の指示対象は、本明細書に別段の記載がない限り、または文脈によって明確に矛盾しない限り、単数形および複数形の両方を含むように解釈されるべきである。本明細書での値の範囲の限定は、範囲内に該当する各個別の値を個々に参照するための簡単な方法として機能することを単に意図する。本明細書に他が示されていない限り、個々の値は、それが個々に本明細書に引用されているかのように本明細書に組み込まれる。本明細書に記載されたすべての方法は、本明細書に他が示されていない限り、又は明確に文脈と矛盾しない限り、任意の適切な順序で実施することができる。本明細書で提供される任意の及び全ての例示的な、又は例示的な言語（例えば、「のような」）の使用は、単に開示をより明らかにすることを意図するものであり、主張する開示の範囲に制限を与えるものではない。本明細書中のいかなる言葉は、本開示の実施に不可欠な請求されていない要素を示すとして解釈されるべきではない。
【００９７】
特許請求の範囲における用語「又は」の使用は、代替物のみを参照することを明示的に示さない限り、又は代替物が相互に排他的である場合を除き、「及び／又は」を意味するために使用されるが、本開示は、代替物のみ及び「及び／又は」を指す定義をサポートする。
【００９８】
本明細書に開示される開示の代替要素または実施形態のグループ化は、制限として解釈されるべきではない。各グループの要素は、個別に、又はグループの他の要素又は本明細書で見出される他の要素との任意の組み合わせで参照され、主張され得る。便宜上及び／又は特許性の理由から、グループの１つ又は複数の要素がグループに含まれるか、又はグループから削除されてもよいことが予期される。そのような包含又は削除が生じる場合、本明細書では、修正されたグループを含むものとみなされ、従って、添付の請求項で使用されるすべてのマーカッシュグループの書面による説明を満たす。
【００９９】
本開示の好ましい実施形態は、本開示を実施するために本発明者らに知られている最良の態様を含めて、本明細書に記載されている。当然ながら、これらの好ましい実施形態の変形例は、前述の説明を読むことで、当業者には明らかになるであろう。本発明者は、当業者が、そのような変形例を適宜採用することを予期しており、本発明者は、本開示が、本明細書に具体的に記載されている以外の方法で実施されることを意図している。従って、本開示は、適用される法により許容されるように、添付の特許請求の範囲に記載された主題の全ての改変及び均等物を含む。更に、本明細書に別段の記載がない限り、又は文脈から明確に矛盾する場合を除き、上述した要素のあらゆる可能な変形例の組み合わせが、本開示によって包含される。
【０１００】
本明細書に開示された特定の実施形態は、請求項において、「からなる」または「本質的にからなる」という語を用いてさらに限定され得る。請求項中で使用される場合、出願時又は補正時に追加されたかを問わず、移行用語「からなる」は、請求項中で指定されていない任意の要素、ステップ、又は成分を除外する。「本質的にからなる」という移行用語は、請求項の範囲を、指定された材料又はステップ、且つ基本的及び新規な特性に実質的に影響を与えないものに限定する。本開示の請求される実施形態は、本明細書に本質的に又は明示的に記載され、そして可能にされる。
【０１０１】
更に、本明細書に開示された本開示の実施形態は、本開示の原理を例示するものであることが理解される。採用され得る他の改変は、本開示の範囲内である。従って、例示的であるが、これに限定されるものではなく、本開示の代替的な構成が、本明細書の教示に従って利用され得る。従って、本開示は、示され、記載されているものに正確に限定されない。
【０１０２】
［付記］
［付記１］
制御ユニットにおいて、反応セル上に位置する流体サンプルの少なくとも１つの画像を得るステップ、
前記制御ユニットを介して、前記少なくとも１つの画像に基づいて複数の微分データ点を含む微分データのセットを作成するステップ、
前記制御ユニットを介して、それぞれの前記複数の微分データ点のための画像勾配データ点を決定するステップ、
前記制御ユニットを介して、前記画像勾配データ点に基づいて、前記反応セル内の前記流体サンプルの標的位置を決定するステップ、及び、
前記制御ユニット及び関連するアッセイシステムを介して、前記反応セル内の前記流体サンプルの前記標的位置を使用して少なくとも１つのアッセイを実施するステップ、
を含む、少なくとも１つのアッセイを実施する方法。
【０１０３】
［付記２］
前記反応セルは、固体媒体、乾燥スライド、又は反応キュベットを含む、
ことを特徴とする付記１に記載の方法。
【０１０４】
［付記３］
前記標的位置は、前記反応セル内の前記流体サンプルの均一領域のほぼ中心を含む、
ことを特徴とする付記１又は２に記載の方法。
【０１０５】
［付記４］
複数の画像からの標的位置を使用して、複数のアッセイを実施するステップを含む、
ことを特徴とする付記１、２又は３に記載の方法。
【０１０６】
［付記５］
前記微分データ点は、前記少なくとも１つの画像における色に基づく一次微分である、
ことを特徴とする付記１、２、３又は４に記載の方法。
【０１０７】
［付記６］
前記流体サンプルの前記標的位置を決定するステップは、
（i）第２の画像勾配データ点よりも低い画像勾配を有する第１の画像勾配データ点を使用すること、又は、
（ii）第１の画像勾配データ点よりも高い画像勾配を有する第２の画像勾配データ点を除外すること、
の少なくとも１つを含む、
ことを特徴とする付記１、２、３、４又は５に記載の方法。
【０１０８】
［付記７］
前記制御ユニットを介して、前記少なくとも１つの画像から画像の欠陥を除去するステップ、を含む、
ことを特徴とする付記１又は６に記載の方法。
【０１０９】
［付記８］
前記少なくとも１つの画像は２次元画像である、
ことを特徴とする付記１又は７に記載の方法。
【０１１０】
［付記９］
前記制御ユニットを介して、前記標的位置周辺の読み取り領域を形成するステップを含み、少なくとも１つのアッセイを実施するステップは、前記読み取り領域を使用することを含む、
ことを特徴とする付記１又は８に記載の方法。
【０１１１】
［付記１０］
前記流体サンプルの前記標的位置を決定するステップは、前記流体サンプルと結合する少なくとも１つの試薬から形成された、前記反応セル内の指示薬分子の指示薬反応を検出すること又は測定することを含む、
ことを特徴とする付記１に記載の方法。
【０１１２】
［付記１１］
制御ユニットを介して、反応セル上に位置する流体サンプルの少なくとも１つの画像を得るステップ、
前記制御ユニットを介して、前記少なくとも１つの画像に基づいて、複数の微分データ点を含む微分データのセットを作成するステップ、
前記制御ユニットを介して、前記複数の微分データ点に基づき、前記流体サンプルの標的位置を決定するステップ、
前記制御ユニットを介して、前記標的位置の周辺の読み取り領域を形成するステップ、及び、
前記制御ユニット及び関連するアッセイシステムを介して、前記読み取り領域を使用して、少なくとも１つのアッセイを実施するステップ、
を含む、
少なくとも１つのアッセイを実施する方法。
【０１１３】
［付記１２］
前記反応セルは、固体媒体、乾燥スライド、又は反応キュベットを含む、
ことを特徴とする付記１１に記載の方法。
【０１１４】
［付記１３］
前記読み取り領域は、少なくとも１つの画像内で、ほぼ円形を示す、
ことを特徴とする付記１１又は１２に記載の方法。
【０１１５】
［付記１４］
前記読み取り領域は、前記少なくとも１つの画像で、ほぼ楕円形に表示される、
ことを特徴とする付記１１、１２又は１３に記載の方法。
【０１１６】
［付記１５］
前記制御ユニットを介して、それぞれの前記複数の微分データ点のための画像勾配データ点を決定するステップ、及び、前記画像勾配データ点に基づいて前記流体サンプルの前記標的位置を決定するステップ、を含む、
ことを特徴とする付記１１、１２、１３又は１４に記載の方法。
【０１１７】
［付記１６］
前記制御ユニット及び前記関連するアッセイシステムを介して、複数のイメージに由来する標的位置を使用して、複数のアッセイを実施することを含む、
ことを特徴とする付記１１又は１５に記載の方法。
【０１１８】
［付記１７］
前記少なくとも１つの画像は、２次元画像である、
ことを特徴とする付記１１又は１６に記載の方法。
【０１１９】
［付記１８］
流体サンプルが位置された少なくとも１つの反応セルを受容するように構成されたスライド受容位置、
前記反応セル内に位置する前記流体サンプルの少なくとも１つの画像を得るために、前記スライド受容位置に対して置かれ及び配置される画像装置、及び、
（i）前記少なくとも１つの画像からの微分データ点を分析することで、前記反応セル内に位置する前記流体サンプル内の標的位置を決定する、及び（ii）前記標的位置に基づいて少なくとも１つのアッセイを実施するように構成された制御ユニット、
を備える、少なくとも１つのアッセイを実施するための装置。
【０１２０】
［付記１９］
前記反応セルは、固体媒体、乾燥スライド、又は反応キュベットを含む、
ことを特徴とする付記１８に記載の装置。
【０１２１】
［付記２０］
前記固体媒体は、第２の反応セルを含む、
ことを特徴とする付記１９に記載の装置。
【０１２２】
［付記２１］
前記標的位置は、前記流体サンプルの均一領域のほぼ中心位置を含む、
ことを特徴とする付記１８又は２０に記載の装置。
【０１２３】
［付記２２］
前記制御ユニットは、それぞれの複数の前記微分データ点のための画像勾配データ点を分析することで、前記標的位置を決定するように構成される、
ことを特徴とする付記１８、１９、２０、又は２１に記載の装置。
【０１２４】
［付記２３］
（i）第２の画像勾配データ点よりも低い画像勾配を有する第１の画像勾配データ点を使用する、又は、（ii）第１の画像勾配データ点よりも高い画像勾配を有する第２の画像勾配データ点を除外する、の少なくとも１つによって、前記標的位置を決定するように、前記制御ユニットは構成される、
ことを特徴とする付記２２に記載の装置。
【０１２５】
［付記２４］
制御ユニットは、第２の画像勾配データ点よりも低い画像勾配を有する第１の画像勾配データ点のほぼ幾何学的中心で前記標的位置を決定するように、構成される、
ことを特徴とする付記２２に記載の装置。
【０１２６】
［付記２５］
前記制御ユニットは、複数の画像からの標的位置を使用して、複数の異なるアッセイを実施するように構成されている、
ことを特徴とする付記１８又は２５に記載の装置。
【０１２７】
［付記２６］
前記反応セル内の前記流体サンプルの前記標的位置は、前記反応セル内で前記流体サンプル中の標的分子が試薬と反応するにつれて指示薬が表示のために発現するように指示薬反応が起こる位置に対応する、
ことを特徴とする付記１８又は２５に記載の装置。
【図１】
2021529962.tif 000004
【図２】
2021529962.tif 000005
【図３】
2021529962.tif 000006
【図４】
2021529962.tif 000007
【図５】
2021529962.tif 000008
【図６】
2021529962.tif 000009
【図７Ａ】
2021529962.tif 000010
【図７Ｂ】
2021529962.tif 000011
【図７Ｃ】
2021529962.tif 000012
【図８】
2021529962.tif 000013
【図９Ａ】
2021529962.tif 000014
【図９Ｂ−１】
2021529962.tif 000015
【図９Ｂ−２】
2021529962.tif 000016
【図１０】
2021529962.tif 000017
【図１１】
2021529962.tif 000018
【図１２】
2021529962.tif 000019
【図１３】
2021529962.tif 000020
【図１４】
2021529962.tif 000021
【図１５】
2021529962.tif 000022
【図１６】
2021529962.tif 000023
【図１７】
2021529962.tif 000024
【図１８】
2021529962.tif 000025
【図１９】
2021529962.tif 000026
【図２０】
2021529962.tif 000027
【図２１】
2021529962.tif 000028
【図２２】
2021529962.tif 000029
【図２３】
2021529962.tif 000030
【図２４】
2021529962.tif 000031
【図２５】
2021529962.tif 000032
【図２６】
2021529962.tif 000033
【図２７】
2021529962.tif 000034
【図２８】
2021529962.tif 000035
【図２９】
2021529962.tif 000036
【図３０】
2021529962.tif 000037
【図３１】
2021529962.tif 000038
【図３２】
2021529962.tif 000039
【図３３】
2021529962.tif 000040
【図３４】
2021529962.tif 000041
【図３５】
2021529962.tif 000042
【図３６】
2021529962.tif 000043
【図３７】
2021529962.tif 000044
【国際調査報告】
2021529962.tif 000045
2021529962.tif 000046